(57)【要約】【課題】  自動蓄尿検査装置において、その患者名の識別入力装置としてタッチセンサー式表示パネルを用いることにより、識別入力装置の小型化及び識別入力を容易にすることである。【解決手段】  自動蓄尿検査装置１１は、タッチセンサー式表示パネル１０を備えている。パネル１０は、所定の大きさのタッチセンサーパネル１０ａと液晶表示パネル１０ｂとを積層して構成される。表示パネル１０の表示画面は複数の表示区域１０ｃを有し、各表示区域は患者名又はその記号（Ａ〜Ｓ）を表示する。  パネル１０の所望の患者名にタッチして尿を投入すると、装置１１は作動する。  上記表示パネル１０の表示画面における各表示区域は目的に応じて種々の配列とすることができる。【選択図】  図１
2005114661.tif 000002
【特許請求の範囲】
【請求項１】
複数の患者名又はその記号を表示可能なタッチセンサー式表示パネルを備え、上記タッチセンサー式表示パネルの表示されている患者名又はその記号へのタッチに応答して自動蓄尿検査装置を作動させるように構成したことを特徴とする自動蓄尿検査装置。
【請求項２】
前記タッチセンサー式表示パネルは所定の大きさのタッチセンサーパネルと、表示パネルとが積層されて成り、該表示パネルは複数の患者名又はその記号を表示する複数の表示区域を有することを特徴とする自動蓄尿検査装置。
【請求項３】
前記タッチセンサー式表示パネルの少なくとも１つの表示区域は次ページキーが表示され、該次ページキーのタッチに応答して次ページの患者名又はその記号が表示されるように構成されたことを特徴とする請求項２記載の自動蓄尿検査装置。
【請求項４】
前記タッチセンサー式表示パネルにおいて、患者名又はその記号の表示中止時にその対応する表示区域に使用中の患者名又はその記号を自動的に表示するように構成したことを特徴とする請求項２記載の自動蓄尿検査装置。
【請求項５】
前記タッチセンサー式表示パネルにおいて、使用中止の患者名又はその記号の表示区域を空白にし、その空白の表示区域に新たな患者名又はその記号を表示するように構成したことを特徴とする請求項２記載の自動蓄尿検査装置。
【発明の詳細な説明】
【技術分野】
【０００１】
本発明は、病院などの医療施設に設けられる自動蓄尿検査装置の、特に患者名又はその記号の識別入力装置の改良に関する。
【背景技術】
【０００２】
蓄尿検査は、患者の水分の代謝を観察するためや尿中成分の定量を行うための手法として用いられる。病院においては、入院患者の蓄尿検査を行うために、共同トイレや、汚物処理室に５人から５０人程度の患者が使用する自動蓄尿検査装置を設置している。
【０００３】
上記自動蓄尿検査装置においては、使用する患者が、装置に各個人の識別入力を行う必要がある。例えば、特許第２８９９９２６号（特許文献１）に開示された自動蓄尿検査装置は図８に示すように登録可能な人数分の識別入力スイッチ１及び名札から成る識別入力装置２を自動蓄尿検査装置３の尿投入口４に対向する背後に設けて上記識別入力を行うようにしている。図９に示すように患者が自己の名札を表示する識別入力装置２のスイッチ１をオンすると、蓋５が開くので、採尿カップ６から自己の尿を尿投入口４より投入する。
【０００４】
しかし上述した構成の識別入力装置では、患者名の名札は固定表示なので登録可能な患者数が５名程度であれば問題ないが、１０名以上登録可能な装置にしようとすると、装置が大型化すると共に患者が自分の名前を探すのにも時間を要していた。特に３０人以上５０人程度登録可能な装置の場合、この傾向が顕著になる。
【０００５】
【特許文献１】特願第２８９９９２６号
【発明の開示】
【発明が解決しようとする課題】
【０００６】
本発明の課題は、識別入力装置としてタッチセンサー式表示パネルを用いることにより、従来の識別入力スイッチ及び名札を用いることなく、自動蓄尿検査装置の識別入力装置を小型化可能にすると共に患者名の識別入力を容易にすることである。
【課題を解決するための手段】
【０００７】
上記課題を解決するため、請求項１の発明の自動蓄尿検査装置は、複数の患者名又はその記号を表示可能なタッチセンサー式表示パネルを備え、上記タッチセンサー式表示パネルの表示されている患者名又はその記号へのタッチに応答して自動蓄尿検査装置を作動させるように構成したことを要旨とする。
【０００８】
また、請求項２の発明は、請求項１の発明において、前記タッチセンサー式表示パネルは所定の大きさのタッチセンサーパネルと、表示パネルとが積層されて成り、該表示パネルは複数の患者名又はその記号を表示する複数の表示区域を有することを要旨とする。
【０００９】
また、請求項３の発明は、請求項２の発明において、前記タッチセンサー式表示パネルの少なくとも１つの表示区域は次ページキーが表示され、該次ページキーのタッチに応答して次ページの患者名又はその記号が表示されるように構成されたことを要旨とする。
【００１０】
また、請求項４の発明は、請求項２の発明において、患者名又はその記号の表示中止時にその対応する表示区域に使用中の患者名又はその記号を自動的に表示するように構成したことを要旨とする。
【００１１】
更に、請求項５の発明は、請求項２の発明において、使用中止の患者名又はその記号の表示区域を空白にし、その空白の表示区域に新たな患者名又はその記号を表示するように構成したことを要旨とする。
【発明の効果】
【００１２】
本発明によれば、自動蓄尿検査装置の識別入力装置をタッチセンサー式表示パネルにより構成したので、従来に比べて装置を小型化できると共に患者の使用状態に対応して種々の表示方式を選択して採用することができる。従って本装置を採用する医療機関にとって、設置場所の自由度が上がるばかりでなく、使用する患者にとっても使い勝手の良い装置を提供することができる。
【発明を実施するための最良の形態】
【００１３】
自動蓄尿検査装置の識別入力装置として、タッチセンサー式表示パネルを使用し、このタッチセンサー式表示パネルは、例えば、タッチセンサーパネルと表示パネルを積層して構成する。この表示パネルは複数の患者名又はその記号を表示する複数の表示区域を有し、該表示区域を効率的に使用して表示する。
【００１４】
例えば、使用中の患者が使用を中止した時に、登録患者名が自動的に繰り上がるようにして、使用中の患者名が常に表示区域の上位より連続して表示できる。また使用中の患者が使用を中止した時でも、その患者が自分の表示区域を探すことが容易なように、その表示区域を固定し、中止した患者の表示区域を空白にして、新たに使用を開始する患者を、その空白表示区域に表示するようにしてもよい。
【実施例】
【００１５】
図１及び図２は、本発明のタッチセンサー式表示パネルを備えた自動蓄尿検査装置の一実施例を示す。同図において、１０はタッチセンサー式表示パネル、１１は自動蓄尿検査装置、１２は手動又は自動式で開閉可能の蓋、１３は尿投入口である。
【００１６】
タッチセンサー式表示パネル１０は、例えば、所定の大きさのタッチセンサーパネル１０ａと液晶表示パネル１０ｂとを積層して成り、液晶表示パネル１０ｂは複数の表示区域１０ｃを有し、各表示区域は患者名又はその記号（Ａ〜Ｓ）を表示する。但し、少なくとも１つの表示区域１０ｃ’は次ページキーの表示としてもよい。
【００１７】
上記次ページキーは複数のページに、患者名又はその記号を表示する場合、各ページを選択するために使用され、このキーにタッチする毎に次ページの患者名又はその記号が表示され、この次ページキーを設けることによって多くのページへの表示が可能になる。
【００１８】
自動蓄尿検査装置において、１１ａは尿受け部、１１ｂはバルブ、１１ｃは尿量／比重測定部、１１ｄは尿保存機構、１１ｅは尿分注機構、１１ｆは尿保存容器である。
【００１９】
尿投入口１３から投入された尿は尿受け部１１ａよりバルブ１１ｂを介して尿量／比重測定部１１ｃに至る。この測定部１１ｃではその尿の量及び比重が測定され、測定後の尿は尿保存機構１１ｄに一時的に保存される。尿は尿保存機構１１ｄからの尿は尿分注機構１１ｅによって各尿保存容器１１ｆに下記のようにして分注される。
【００２０】
例えば、この尿保存容器１１ｆは５〜５０個の容器が円周上に配列され、図示していない尿処理コントローラの指令によって定められた容器（例えばＡ）まで回転させられる。そしてその位置、つまり指定の容器（Ａ）が所定位置に停止した時、尿分注機構１１ｅが下降して尿保存機構１１ｄからの尿をその容器（Ａ）に注入する。なお、尿保存容器１１ｆを固定し、尿分注機構１１ｅを回転させるようにしてもよい。
【００２１】
上記した装置において、患者がタッチセンサー式表示パネル１０の自己の名前の表示区域にタッチすると、タッチセンサーパネル１０ａからそのタッチに応じた信号が出力され、その信号に応答して装置内の図示していない投入口コントローラによって蓋１２が開放される。
【００２２】
その後、患者は尿を尿投入口１３に投入する。投入された尿は測定部１２ｃで投入された尿の容量及び比重が測定される。その後、尿の全部又はその一部が尿保存機構１１ｄに保存され、必要でない尿はパイプ１１ｇを介して排出されると共に必要な尿は尿分注機構１１ｅにより各尿保存容器１１ｆに分注、保存される。
【００２３】
図３は本発明の上述した自動蓄尿検査装置の動作を制御する各コントローラ及びその動作を示すフローチャートである。同図において、１４はタッチパネルコントローラ、１５は尿投入口コントローラ、１６は尿処理コントローラ、１７はＣＰＵである。タッチセンサー式表示パネル１０は前述したように、例えば、液晶表示パネルに表示された患者名を指でタッチすることにより入力操作を行う。パネル１０の表示、入力情報の処理はタッチパネルコントローラ１４によって制御される。尿投入口コントローラ１５は尿投入口１３の蓋１２を自動開閉する場合の制御を行う。尿処理コントローラ１６は投入された尿の量及びその比重の測定と結果出力、患者別の尿保存容器への尿の分注、不要な尿の排出（全量を尿保存容器に保存する場合は不要）、装置内の洗浄等の動作を制御する。ＣＰＵ１７内の患者データベース（Ｄ／Ｂ）は患者毎のデータを記憶する。該データベースは通常は病院内に設置され、ＬＡＮ等により情報を授受する。患者データベース（Ｄ／Ｂ）への患者データ入力は、前記タッチセンサー式表示パネルから入力する方法、又は、ナースステーション等の端末から入力する方法等によりタッチセンサー式表示パネルに表示する患者名等を入力することで行われる。
【００２４】
上述した各コントローラによる自動蓄尿検査装置の動作は下記の通りとなる。  
まず、パネル１０に表示された患者名にタッチすることにより患者識別情報入力が行われる（Ｓ１）。ついで上記入力に応答してタッチパネルコントローラ１４が尿投入口コントローラ１５に指令してこれにより尿投入口の蓋が開く（Ｓ２）。すると、尿が投入され（Ｓ３）、これを尿投入センサ１８が検知すると、そのセンサ出力に応答して尿投入口コントローラ１５により尿投入口の蓋は閉まる（Ｓ４）。これが投入口センサ１９により検知されると、そのセンサ出力に応答して尿処理コントローラ１６が前述した尿量・比重測定（Ｓ５）、尿の患者別容器へ分注保存（Ｓ６）、不要尿排出（Ｓ７）及び装置内洗浄（Ｓ８）の各動作を制御する。尿量・比重測定の測定結果はＣＰＵ１７内の患者データベース（Ｄ／Ｂ）に入力されタッチパネルコントローラ１４からの信号と上記データベースからの信号との照合結果に応じて所定のアドレスに格納される。
【００２５】
図４は、３０名から５０名の患者名を登録可能なタッチセンサー式表示パネル１０の表示画面の一例である。３０名登録可能な蓄尿検査装置の例では表示の見やすさ、タッチセンサーの押し易さから、表示画面を２０区域に区切り、各区域にＡからＳまでの１９名分を表示し、次ページキーとなっている最後の表示区域を押すと、図５の画面に切り替わり、ＰからＡＤまでの合計３０名分を表示するように構成する。さらに多人数の登録が可能な装置の場合、表示するページを増やすことによって、表示することが可能である。通常の使用状態においては、５０名を登録することが可能なタッチセンサー式表示パネルであっても、実際に使用するのは２０名から３０名であるので、表示画面は１乃至２ページで済むことがほとんどである。また、図４で、患者Ｍが使用を中止した場合は、患者Ｎ以下が自動的に繰り上がり、常に最小の表示区域で済むように表示を切り替えるように構成することができる。
【００２６】
また、目が衰えていたり、手が不自由な患者が多い場合は、表示画面１ページ当たりの表示患者数を例えば１０名に減らせば、１名当たりの表示面積が２倍とすることができ、見やすくなると共に、画面に触れて入力する場合も、他の患者の区域に触れることなく入力することが容易な表示画面の構成とすることができる。逆に目も良く、画面に触れて入力することに慣れている患者の場合には１ページ当たりの表示患者数を増やし、２ページ以降の表示を減らすことで、患者の名前を探しやすくすることも可能な構成としてもよい。
【００２７】
また、患者が、繰り返し使用している場合は、自分の名前の表示位置を覚えている場合がある。このような患者が多い場合は、名前を探しやすくするために図６のように、患者Ｍが使用を中止しても、その位置は空白の無表示とし、患者Ｎ以下の表示位置を変えないようにする構成も可能である。この場合は新たに患者ＡＥが使用開始する場合は図７のように患者Ｍが使用していた表示区域に患者ＡＥを入れるようにする。また使用する患者数が少ない場合、例えば、１０名程度の場合は自動的に１名当たりの表示区域を大きくして、見やすく、また、表示画面に触れやすくするような構成も可能である。
【００２８】
上述した各表示画面の構成は患者データが入力されるＣＰＵ１７内の患者データベース（Ｄ／Ｂ）からのデータに基づいてタッチパネルコントローラ１４が表示パネル１０を制御することにより容易に実現できる。
【産業上の利用可能性】
【００２９】
本発明は、病院などの医療施設に設けられる患者名識別入力装置を有する自動蓄尿検査装置に適用できる。
【図面の簡単な説明】
【００３０】
【図１】本発明のタッチセンサー式表示パネルを備えた自動蓄尿検査装置の一実施例を示す概略図である。
【図２】図１における自動蓄尿検査装置の一構成例を示す概略図である。
【図３】上記自動蓄尿検査装置の動作を制御するコントローラ及びその動作を示すフローチャートである。
【図４】本発明におけるタッチセンサー式表示パネルの表示画面の一例を示す図である。
【図５】図４の表示画面が切り替わった画面を示す図である。
【図６】表示画面の他の例を示す図である。
【図７】表示画面の更に他の例を示す図である。
【図８】従来の識別入力スイッチ＋名札を有する自動蓄尿検査装置を示す概略図である。
【図９】上記自動蓄尿検査装置の使用方法の説明図である。
【符号の説明】
【００３１】
１０  タッチセンサー式表示パネル
１１  自動蓄尿検査装置
１２  蓋
１３  尿投入口
【図１】
2005114661.tif 000003
【図２】
2005114661.tif 000004
【図３】
2005114661.tif 000005
【図４】
2005114661.tif 000006
【図５】
2005114661.tif 000007
【図６】
2005114661.tif 000008
【図７】
2005114661.tif 000009
【図８】
2005114661.tif 000010
【図９】
2005114661.tif 000011